(57)【要約】【課題】入退場を管理する装置を、より低コストで実現する。【解決手段】特定のエリアへの入退場を、認証情報記録媒体の認証を行うことにより管理するリーダライタであって、前記認証情報記録媒体からの信号を、複数の方向から受信するアンテナと、前記アンテナに対する前記認証情報記録媒体の近接が、何れの方向からであるのかを検知する、近接方向検知部材と、を備えることを特徴とするリーダライタ。【選択図】      図１
2015149002.tif 000002
【特許請求の範囲】
【請求項１】
特定のエリアへの入退場を、認証情報記録媒体の認証を行うことにより管理するリーダライタであって、
前記認証情報記録媒体からの信号を、複数の方向から受信するアンテナと、
前記アンテナに対する前記認証情報記録媒体の近接が、何れの方向からであるのかを検知する、近接方向検知部材と、を備えることを特徴とするリーダライタ。
【請求項２】
特定のエリアへの入退場を管理する入退場管理装置であって、
前記特定のエリアへの入退場が可能な利用者を示す利用者情報を含む認証情報記録媒体から、当該利用者情報を含む信号を、特定のエリア側および前記特定のエリアとは異なる他のエリア側の両側から受信するアンテナと、
前記認証情報記録媒体が、前記アンテナに対し、前記特定のエリア側または前記他のエリア側の何れの方向から近接したのかを検知する、近接方向検知部材と、
前記アンテナが受信した信号に含まれる前記利用者情報に基づいて、利用者の認証を行う認証手段と、
前記認証手段によって認証された利用者の前記利用者情報と、前記近接方向検知部材が検知した方向とに基づいて、前記利用者に対する前記特定のエリアへの入退場を管理する入退場管理手段と、を備えることを特徴とする入退場管理装置。
【請求項３】
前記近接方向検知部材は、前記特定のエリア側および前記他のエリア側に夫々設けられていることを特徴とする、請求項２に記載の入退場管理装置。
【請求項４】
前記入退場管理手段は、
前記他のエリア側に設けられた前記近接方向検知部材が、前記認証情報記録媒体を検知したとき、前記認証手段によって認証された利用者の、前記特定エリアへの入場記録を、当該利用者の利用者情報に関連付けて管理し、
前記特定のエリア側に設けられた前記近接方向検知部材が、前記認証情報記録媒体を検知したとき、前記認証手段によって認証された利用者の、前記特定エリアからの退場記録を、当該利用者の利用者情報に関連付けて管理する、ことを特徴とする請求項３に記載の入退場管理装置。
【請求項５】
前記近接方向検知部材は、物体の近接を検知する近接センサである、ことを特徴とする請求項２から４の何れか１項に記載の入退場管理装置。
【請求項６】
前記近接方向検知部材は、入退場管理装置の近傍を撮影するカメラである、ことを特徴とする請求項２から４の何れか１項に記載の入退場管理装置。
【請求項７】
前記認証手段によって認証された利用者の入退場させるために、前記特定のエリアと前記他のエリアとを仕切るためのセパレータの開閉を制御する開閉制御手段を更に備えることを特徴とする、請求項２から６の何れか１項に記載の入退場管理装置。
【請求項８】
特定のエリアへの入退場を管理する入退場管理システムであって、
前記特定のエリアへの入退場が可能な利用者を示す利用者情報を含む認証情報記録媒体から、当該利用者情報を含む信号を、特定のエリア側および前記特定のエリアとは異なる他のエリア側の両側から受信するアンテナと、
前記認証情報記録媒体が、前記アンテナに対し、前記特定のエリア側または前記他のエリア側の何れの方向から近接したのかを検知する、近接方向検知部材と、
前記特定のエリアと前記他のエリアとを仕切るためのセパレータと、
前記アンテナが受信した信号に含まれる前記利用者情報に基づいて、利用者の認証を行う認証手段と、
前記認証手段によって認証された利用者の前記利用者情報と、前記近接方向検知部材が検知した方向とに基づいて、前記利用者に対する前記特定のエリアへの入退場を管理する入退場管理手段と、
前記認証手段によって認証された利用者を入退場させるために、前記セパレータの開閉を制御する開閉制御手段と、を備えることを特徴とする入退場管理システム。
【請求項９】
アンテナと、近接方向検知部材とを備え、特定のエリアへの入退場を管理する入退場管理装置の入退場管理方法であって、
前記特定のエリアへの入退場が可能な利用者を示す利用者情報を含む認証情報記録媒体から、当該利用者情報を含む信号を、特定のエリア側および前記特定のエリアとは異なる他のエリア側の両側から受信し、
前記アンテナに対し、前記認証情報記録媒体が前記特定のエリア側または前記他のエリア側の何れの方向から近接したのかを検知し、
前記受信した信号に含まれる前記利用者情報に基づいて、利用者の認証を行い、
前記認証された利用者の前記利用者情報と、前記検知した方向とに基づいて、前記利用者に対する前記特定のエリアへの入退場を管理する、ことを特徴とする入退場管理方法。
【請求項１０】
特定のエリアへの入退場を管理する入退場管理装置を含むコンピュータに実行させるプログラムであって、
前記入退場管理装置は、前記特定のエリアへの入退場が可能な利用者を示す利用者情報を含む認証情報記録媒体から、当該利用者情報を含む信号を、特定のエリア側および他のエリア側の両側から受信するアンテナと、
前記認証情報記録媒体が、前記アンテナに対し、前記特定のエリア側または前記他のエリア側の何れの方向から近接したのかを検知する、近接方向検知部材と、を備え、
前記プログラムは、
前記アンテナが受信した信号に含まれる前記利用者情報に基づいて、利用者の認証を行う処理と、
前記認証された利用者の前記利用者情報と、前記近接方向検知部材が検知した方向とに基づいて、前記利用者に対する前記特定のエリアへの入退場を管理する処理とをコンピュータに実行させる、ことを特徴とするプログラム。
【発明の詳細な説明】
【技術分野】
【０００１】
本発明は、リーダライタ、入退場管理装置、入退場管理システム、入退場管理方法、および、プログラムに関する。
【背景技術】
【０００２】
現在、非接触型ＩＣ（Ｉｎｔｅｇｒａｔｅｄ  Ｃｉｒｃｕｉｔ）カードのような認証情報記録媒体を用いて、特定のエリアへの入退場を制御する方法が考えられている。
【０００３】
例えば、特許文献１には、非接触型ＩＣカードから送信される通信電波を入口側アンテナと出口側アンテナとの両方で受信して、通維新電波の強度の違いによって非接触型ＩＣカードがかざされた方向を検出する装置が開示されている。
【０００４】
また、特許文献２には、ＩＣカードの近接を検知するための近接センサを備え、ＩＣカードの近接が検知された場合には、アンテナの電波の放射を停止させる非接触ＩＣカードリーダライタ装置が開示されている。
【先行技術文献】
【特許文献】
【０００５】
【特許文献１】特開平１１−１２０３０４号公報
【特許文献２】特開２００６−１６３８１９号公報
【発明の概要】
【発明が解決しようとする課題】
【０００６】
非接触型ＩＣカードのリーダライタに形成されたアンテナは、自身に近接された非接触型ＩＣカードとの間で通信を行う。この際、非接触型ＩＣカードは、リーダライタの一方の面に近接させることが一般的である。
【０００７】
また磁界結合型のリーダライタも、非接触型ＩＣカードの情報を読み取りは、非接触型ＩＣカードが近接される、リーダライタの一方の面に対して行われることが一般的である。そのため、上記リーダライタは、利用者が上記一方の面に非接触型ＩＣカードを近接させることができるような構成になっている。
【０００８】
ここで、特定のエリア（例えば、セキュリティエリア）と非セキュリティエリアとは、セパレータ等のドアで区切られている場合が多い。このようなセキュリティエリアへの入退場管理に上記リーダライタを用いた場合、非接触型ＩＣカードのリーダライタが、セパレータを挟んだセキュリティエリア側と、非セキュリティエリア側の両側に設置される必要がある。そのため、導入コストが高くなるという問題があった。
【０００９】
特許文献２に記載の非接触ＩＣカードリーダライタ装置は、アンテナの一方の面に対してのみ非接触型ＩＣカードを近接させる構成である。そのため、セキュリティエリアの入退場に当該装置を用いた場合、コストがかかってしまう。
【００１０】
また、特許文献１に記載の装置において、利用者が非接触型ＩＣカードを近接させるリーダライタの面は、一方向である。そのため、セキュリティエリアの入退場に当該装置を用いた場合、コストがかかってしまう。
【００１１】
更に、入退場の方向を検知する方法として、特許文献１に記載の装置ように、入退場の方向を２つのアンテナを用いる場合、アンテナが１つの場合と比べ、コストが高くなる場合がある。
【００１２】
本発明は、上記問題に鑑みてなされたものであり、その目的は、入退場を管理する装置を、より低コストで実現することにある。
【課題を解決するための手段】
【００１３】
本発明の一態様に係るリーダライタは、特定のエリアへの入退場を、認証情報記録媒体の認証を行うことにより管理するリーダライタであって、前記認証情報記録媒体からの信号を、複数の方向から受信するアンテナと、前記アンテナに対する前記認証情報記録媒体の近接が、何れの方向からであるのかを検知する、近接方向検知部材と、を備える。
【００１４】
本発明の一態様に係る入退場管理装置は、特定のエリアへの入退場を管理する入退場管理装置であって、前記特定のエリアへの入退場が可能な利用者を示す利用者情報を含む認証情報記録媒体から、当該利用者情報を含む信号を、特定のエリア側および他のエリア側の両側から受信するアンテナと、前記認証情報記録媒体が、前記アンテナに対し、前記特定のエリア側または前記他のエリア側の何れの方向から近接したのかを検知する、近接方向検知部材と、前記アンテナが受信した信号に含まれる前記利用者情報に基づいて、利用者の認証を行う認証手段と、前記認証手段によって認証された利用者の前記利用者情報と、前記近接方向検知部材が検知した方向とに基づいて、前記利用者に対する前記特定のエリアへの入退場を管理する入退場管理手段と、を備える。
【００１５】
本発明の一態様に係る入退場管理システムは、特定のエリアへの入退場を管理する入退場管理システムであって、前記特定のエリアへの入退場が可能な利用者を示す利用者情報を含む認証情報記録媒体から、当該利用者情報を含む信号を、特定のエリア側および前記特定のエリアとは異なる他のエリア側の両側から受信するアンテナと、前記認証情報記録媒体が、前記アンテナに対し、前記特定のエリア側または前記他のエリア側の何れの方向から近接したのかを検知する、近接方向検知部材と、前記特定のエリアと前記他のエリアとを仕切るためのセパレータと、前記アンテナが受信した信号に含まれる前記利用者情報に基づいて、利用者の認証を行う認証手段と、前記認証手段によって認証された利用者の前記利用者情報と前記近接方向検知部材が検知した方向とに基づいて、前記利用者に対する前記特定のエリアへの入退場を管理する入退場管理手段と、前記認証手段によって認証された利用者を入退場させるために、前記セパレータの開閉を制御する開閉制御手段と、を備える。
【００１６】
本発明の一態様に係る入退場管理方法は、アンテナと、近接方向検知部材とを備え、特定のエリアへの入退場を管理する入退場管理装置の入退場管理方法であって、前記特定のエリアへの入退場が可能な利用者を示す利用者情報を含む認証情報記録媒体から、当該利用者情報を含む信号を、特定のエリア側および前記特定のエリアとは異なる他のエリア側の両側から受信し、前記アンテナに対し、前記認証情報記録媒体が前記特定のエリア側または前記他のエリア側の何れの方向から近接したのかを検知し、前記受信した信号に含まれる前記利用者情報に基づいて、利用者の認証を行い、前記認証された利用者の前記利用者情報と、前記検知した方向とに基づいて、前記利用者に対する前記特定のエリアへの入退場を管理する。
【００１７】
本発明の一態様に係るプログラムは、特定のエリアへの入退場を管理する入退場管理装置を含むコンピュータに実行させるプログラムであって、前記入退場管理装置は、前記特定のエリアへの入退場が可能な利用者を示す利用者情報を含む認証情報記録媒体から、当該利用者情報を含む信号を、特定のエリア側および他のエリア側の両側から受信するアンテナと、前記認証情報記録媒体が、前記アンテナに対し、前記特定のエリア側または前記他のエリア側の何れの方向から近接したのかを検知する、近接方向検知部材と、を備え、前記プログラムは、前記アンテナが受信した信号に含まれる前記利用者情報に基づいて、利用者の認証を行う処理と、前記認証された利用者の前記利用者情報と、前記近接方向検知部材が検知した方向とに基づいて、前記利用者に対する前記特定のエリアへの入退場を管理する処理とをコンピュータに実行させる。
【発明の効果】
【００１８】
本発明によれば、入退場を管理する装置を、より低コストで実現することができる。
【図面の簡単な説明】
【００１９】
【図１】本発明の第１の実施の形態に係るリーダライタの構成の一例を示す図である。
【図２】本発明の第１の実施の形態に係るリーダライタにおけるアンテナで発生する磁界の一例を示す図である。
【図３】本発明の第２の実施の形態に係る入退場管理システムの構成の概略を示す図である。
【図４】本発明の第２の実施の形態に係る入退場管理システムの機能構成の一例を示す機能ブロック図である。
【図５】本発明の第２の実施の形態に係る入退場管理システムにおけるアンテナで発生する磁界の一例を示す図である。
【図６】本発明の第２の実施の形態に係る入退場管理システムの処理の流れの一例を示すフローチャートである。
【図７】本発明の各実施形態に係る入退場管理システムを実現可能な入退場管理装置のハードウェア構成の一例を示す図である。
【発明を実施するための形態】
【００２０】
＜第１の実施の形態＞
本発明の第１の実施の形態について、図面を参照して詳細に説明する。
【００２１】
図１は、本実施の形態に係るリーダライタの構成の一例を示す図である。本実施の形態に係るリーダライタ１００は、特定のエリアへの入退場を、認証情報記録媒体の認証を行うことにより管理するものである。図１に示す通り、リーダライタ１００は、アンテナ１２０と、近接方向検知部材１３０とを備えている。なお、図１にリーダライタ１００の構成は、本発明の特徴のみを示したものであり、リーダライタが、認証情報記録媒体等からの信号を読み取るための制御部等を含んでいることは、言うまでもない。
【００２２】
アンテナ１２０は、認証情報記録媒体からの信号を、複数の方向から受信する。
【００２３】
ここで、認証情報記録媒体は、例えば、ＲＦＩＤ（Ｒａｄｉｏ  Ｆｒｅｑｕｅｎｃｙ  Ｉｄｅｎｔｉｆｉｃａｔｉｏｎ）タグなどの、利用者を認証するための認証情報を記録した非接触型の媒体である。本実施の形態では、認証情報記録媒体を、ＲＦＩＤカードとも呼び、以下の説明を行う。
【００２４】
アンテナ１２０は、当該アンテナ１２０に近接された認証情報記録媒体との間で通信を行うことにより、認証情報記録媒体からの信号を複数の方向から受信する。アンテナ１２０は、例えば、ループ状のアンテナである。
【００２５】
近接方向検知部材１３０は、アンテナ１２０に対する認証情報記録媒体の近接が、何れの方向からであるのかを検知する部材である。近接方向検知部材１３０は、例えば、近接センサなどによって実現される。
【００２６】
図２は、本実施の形態に係るリーダライタ１００におけるアンテナ１２０で発生する磁界を説明するための図である。なお、図２においては、リーダライタ１００に対し、不特定のエリア（他のエリア）側から、特定のエリア側に向かって近接される認証情報記録媒体を認証情報記録媒体２Ａとし、特定のエリア側から不特定のエリア側に向かって、近接される認証情報記録媒体を認証情報記録媒体２Ｂとしている。また、図２に示す点線は、アンテナ１２０で発生する磁界を表したものである。なお、本実施の形態では、特定のエリア以外のエリアを、「不特定のエリア」や、「他のエリア」と呼ぶ。
【００２７】
図２に示すアンテナ１２０は、ループ状のアンテナが形成された平面が、認証情報記録媒体を近接させる面と平行になるように形成されているとする。図２に示す通り、アンテナ１２０は、当該アンテナ１２０の両面（特定のエリア側の面と不特定のエリア側の面）に磁場を形成する。そのため、リーダライタ１００は、アンテナ１２０の両面（両側）から近接する認証情報記録媒体２Ａおよび２Ｂの情報を読み取ることができる。
【００２８】
ここで、アンテナ１２０のみの場合、リーダライタ１００は、認証情報記録媒体２Ａおよび２Ｂが、特定のエリア側の面と不特定のエリア側の面のどちらから近接しているのかを検知できない。そのため、リーダライタ１００の近接方向検知部材１３０が、アンテナ１２０に対する認証情報記録媒体の近接が、何れの方向からであるのかを検知する。
【００２９】
図２に示す近接方向検知部材１３０は、検知する方向毎に夫々設けられている。つまり、近接方向検知部材１３０は、特定のエリア側からの近接を検知する位置（１３０Ｂ）と、不特定のエリア側からの近接を検知する位置（１３０Ａ）との２か所に設置されている。なお、近接方向検知部材１３０の数はこれに限定されるものではなく、認証情報記録媒体の近接方向を検知できる数であればよい。
【００３０】
これにより、認証情報記録媒体２Ａが、不特定のエリア側から特定のエリア側に向かって近接されたものであることがわかり、認証情報記録媒体２Ｂが、特定のエリア側から不特定のエリア側に向かって近接されたものであることがわかる。
【００３１】
（効果）
本実施の形態に係るリーダライタ１００は、認証情報記録媒体からの信号を、複数の方向から受信するアンテナ１２０と、アンテナ１２０に対する認証情報記録媒体の近接が、何れの方向からであるのかを検知する近接方向検知部材１３０と、を備える。
【００３２】
上述したとおり、特許文献１および２に記載の装置では、利用者が非接触型カード等の認証情報記録媒体を近接させるリーダライタの面は、一方向である。そのため、特定のエリアと他のエリアとの入退場を管理するためのリーダライタとして、特許文献１および２に記載の装置を採用した場合、入場側と退場側の２台のリーダライタが必要となる。
【００３３】
しかしながら、本実施の形態に係るリーダライタ１００によれば、１つのアンテナ１２０で、当該アンテナ１２０の両面（両側）に近接した認証情報記録媒体の情報を読み取ることができる。また、近接方向検知部材１３０が認証情報記録媒体の近接方向を検知するため、上記認証情報記録媒体が、どちらの面に近接されたのかを判別することができる。
【００３４】
したがって、本実施の形態に係るリーダライタ１００を用いることにより、近接する認証情報記録媒体の方向を、より低コストで検出することができる。
【００３５】
また、近接する認証情報記録媒体の方向を、１つのリーダライタで検出できるため、入退場を管理するための装置に１つのリーダライタを含む構成であっても、好適に入退場を管理することができる。したがって、複数のリーダライタを設置する場合に比べ、リーダライタの台数を削減することができる。そのため、リーダライタの導入コスト削減、電力削減を実現する装置を提供することができる。
【００３６】
＜第２の実施の形態＞
本発明の第２の実施の形態について、図面を参照して詳細に説明する。
【００３７】
本実施形態では、第１の実施の形態で説明したリーダライタ１００を用いた入退場管理システム１について説明する。なお、説明の便宜上、前述した第１の実施の形態で説明した部材と同じ機能を有する部材については、同じ符号を付し、その説明を省略する。
【００３８】
図３は、本実施の形態に係る入退場管理システム１の構成の概略を示す図である。入退場管理システム１は、特定のエリアへの入退場を管理するためのシステムである。図３に示す通り、入退場管理システム１は、セキュリティエリア（特定のエリア）と非セキュリティエリア（他のエリア）とを仕切る位置に配置されている。図３では、入退場管理システム１で仕切られた空間において、左側の空間をセキュリティエリアとし、右側の空間を非セキュリティエリアとしている。以降、非セキュリティエリアからセキュリティエリアに移動することを、セキュリティエリアに入場すると言い、セキュリティエリアから非セキュリティエリアに移動することを、セキュリティエリアから退場すると言う。また、図３に示すように、非セキュリティエリアからセキュリティエリアに移動する方向を入場方向と呼び、セキュリティエリアから非セキュリティエリアに移動する方向を退場方向と呼ぶ。なお、図１に示す入退場管理システム１の構成は、一例であり、本発明がこれに限定されるものではないことは、言うまでもない。
【００３９】
入退場管理システム１は、セキュリティエリアと非セキュリティエリアとを仕切る、セパレータ（例えば、図３に示すドア５０）を含んでいる。また、入退場管理システム１は、リーダライタとして機能する、後述する入退場管理装置を含んでいる。
【００４０】
図３に示すように、利用者がセキュリティエリアに入場する場合、利用者が、認証情報記録媒体２を入退場管理システム１の所定の位置にかざし（近接させ）、当該利用者の入場が許可されると、ドア５０が開く。同様に、利用者がセキュリティエリアから退場する場合、利用者が認証情報記録媒体２を入退場管理システム１の所定の位置にかざし、利用者の退場が許可されると、ドア５０が開く。
【００４１】
認証情報記録媒体２は、例えば、ＲＦＩＤタグなどの、利用者を認証するための認証情報（利用者情報）を記録した非接触型の媒体である。本実施の形態において、上記利用者とは、特定のエリア（セキュリティエリア）への入退場が可能な利用者のことを示している。本実施の形態では、認証情報記録媒体２を、ＲＦＩＤカードとも呼び、以下の説明を行う。
【００４２】
次に、図４を参照して、入退場管理システム１の機能構成について説明する。図４は、本実施の形態に係る入退場管理システム１の機能構成を示す機能ブロック図である。
【００４３】
図４に示す通り、入退場管理システム１は、入退場管理装置１０とドア５０とを含んでいる。また、入退場管理装置１０は、制御部１１、アンテナ１２、入場用センサ１３および退場用センサ１４を備えている。
【００４４】
なお、本実施の形態においては、入退場管理装置１０が、ＲＦＩＤカードのリーダライタとして機能するよう構成されることを例に説明を行うが、本発明はこれに限定されるものではない。例えば、入退場管理装置１０の制御部１１に含まれる機能のうちドア５０の開閉を制御する機能および入退場履歴を管理する機能をリーダライタとは別個の装置として構成し、上記機能以外を、ＲＦＩＤカードのリーダライタとして構成してもよい。
【００４５】
一般的に、特定のエリアへの入退場用に使用されているリーダライタは、周波数帯域が１３．５６ＭＨｚ帯の磁界結合型である場合が多い。そのため、本実施の形態に係る入退場管理装置１０は、周波数帯域が１３．５６ＭＨｚ帯の磁界結合型であることを例に説明を行うが、本発明はこれに限定されるものではない。
【００４６】
また、図４に示す入退場管理システム１の構成は、本発明に主要な部材を説明するためのものであり、入退場管理システム１がその他の部材を有してもよいことは言うまでもない。
【００４７】
ドア５０は、入退場管理装置１０によって、開閉が制御されている。なお、ドア５０は、入退場管理装置１０によって開かれた後、所定の時間が経過した後に閉じる構成であってもよい。
【００４８】
アンテナ１２は、入退場管理装置１０の所定の位置に近接されたＲＦＩＤカードとの間で無線（非接触）通信を行う、例えば、ループ状のアンテナである。磁界結合型の入退場管理装置１０に含まれるアンテナ１２は、一般的に、ループ状に形成されることが多い。したがって、本実施の形態に係る入退場管理装置１０においても、上述したとおり、アンテナ１２として、ループ状のアンテナを採用する。ここで、入退場管理装置１０の所定の位置とは、アンテナ１２とＲＦＩＤカードとが通信可能な位置である。利用者がＲＦＩＤカードを、当該ＲＦＩＤカードとアンテナ１２とが通信可能な位置に近接させる（かざす）と、アンテナ１２は、当該ＲＦＩＤカードと通信を行う。アンテナ１２を通じて受信した信号は、制御部１１に供給される。
【００４９】
入場用センサ１３は、入場方向からのＲＦＩＤカードの近接を検知するための、近接検知手段である。入場用センサ１３は、入退場管理装置１０の非セキュリティエリア側に設置されている。
【００５０】
退場用センサ１４は、退場方向からのＲＦＩＤカードの近接を検知するための、近接検知手段である。退場用センサ１４は、入退場管理装置１０のセキュリティエリア側に設置されている。
【００５１】
入場用センサ１３および退場用センサ１４は、例えば、物体の近接を検知する近接センサであるとするが、本発明はこれに限定されるものではない。また、ＲＦＩＤカードを検知する接近センサの種類は、例えば、超音波センサや赤外線センサ等が挙げられるが、本発明はこれに限定されるものではない。
【００５２】
入場用センサ１３および退場用センサ１４は、ＲＦＩＤカードの近接を検知すると、検知したことを示す情報を制御部１１に送信する。
【００５３】
ここで、図５を参照して、アンテナ１２、入場用センサ１３および退場用センサ１４の設置例およびアンテナ１２で発生する磁界について説明する。図５は、本実施の形態に係る入退場管理システム１におけるアンテナ１２で発生する磁界を説明するための図である。
【００５４】
なお、図５においては、説明の便宜上、入退場管理装置１０のアンテナ１２、入場用センサ１３および退場用センサ１４のみを図示しているが、各部材は筐体内に収容されている構成である。また、図５においては、入退場管理装置１０に対し、非セキュリティエリア側から、入場方向に向かって近接される認証情報記録媒体をＲＦＩＤカード２Ａとし、セキュリティエリア側から、退場方向に向かって近接される認証情報記録媒体をＲＦＩＤカード２Ｂとしている。また、図５に示す点線は、入退場管理装置１０のアンテナ１２で発生する磁界を表したものである。
【００５５】
アンテナ１２のループ状のアンテナが形成された平面（アンテナ平面と呼ぶ）は、利用者がＲＦＩＤカードを近接させる面と平行になるように、入退場管理装置１０に備えられることが一般的である。そのため、本実施の形態においても、アンテナ平面は、上記ＲＦＩＤカードを近接させるための面と平行となる面（例えば、図３、図５におけるｘｙ平面と平行な面）に形成されているとする。
【００５６】
図５に示す通り、アンテナ１２は、当該アンテナ１２の両側（セキュリティエリア側および非セキュリティエリア側）に磁場を形成する。そのため、入退場管理装置１０は、アンテナ１２の両側から近接するＲＦＩＤカード２Ａおよび２Ｂの情報を読み取ることができる。ここで、アンテナ１２のみの場合、入退場管理装置１０は、ＲＦＩＤカード２Ａおよび２Ｂが、セキュリティエリア側から近接しているのか、非セキュリティエリア側から近接しているのかを検知できない。そのため、入退場管理装置１０は、センサ（入場用センサ１３および退場用センサ１４）によって、どちら側から近接されたＲＦＩＤカードであるかを判別する。
【００５７】
例えば、利用者が非セキュリティエリア側からセキュリティエリア側に向かって、ＲＦＩＤカード２Ａを入退場管理装置１０の所定の位置に近接させた場合、アンテナ１２と、入場用センサ１３とが、ＲＦＩＤカード２Ａの近接を検知する。これにより、入退場管理装置１０は、ＲＦＩＤカードが非セキュリティエリア側から近接されたことを判別する。同様に、利用者がセキュリティエリア側から非セキュリティエリア側に向かって、ＲＦＩＤカード２Ｂを入退場管理装置１０の所定の位置に近接させた場合、アンテナ１２と、退場用センサ１４とが、ＲＦＩＤカード２Ｂの近接を検知する。
【００５８】
このように、アンテナ１２、入場用センサ１３、退場用センサ１４を配置することにより、入退場管理装置１０のアンテナ１２の周辺には、図５に点線で示すような磁界が形成される。そして、入退場管理装置１０は、非セキュリティエリア側から入場方向に向かって接近したＲＦＩＤカード２Ａ、および、セキュリティエリア側から退場方向に向かって近接したＲＦＩＤカード２Ｂからの信号を受信することができる。さらに、入退場管理装置１０が入場用センサ１３および退場用センサ１４を備えることにより、入退場管理装置１０に近接したＲＦＩＤカードが、セキュリティエリア側または非セキュリティエリア側のどちら側から近接したＲＦＩＤカードであるのかを判別することができる。これにより、入退場管理装置１０は、上記アンテナ１２を用いて受信した信号（読み取ったデータ）、および、判別結果を組み合わせることにより、どちらの方向からどのような情報を有したＲＦＩＤカードがかざされたのかを判別することが可能となる。
【００５９】
図４に戻り、入退場管理システム１の構成についての説明を続ける。入退場管理装置１０の制御部１１は、入退場管理装置１０全体を制御する。制御部１１は、図４に示す通り、読取部１１１、認証部１１２、入退場管理部１１３および開閉制御部１１４を備えている。
【００６０】
読取部１１１は、アンテナ１２を通じて受信した信号を受け取り、当該信号に含まれる情報を抽出する。つまり、読取部１１１は、アンテナ１２に近接されたＲＦＩＤカードの情報を、アンテナ１２を介して読み取る手段である。読取部１１１は、読み取った情報を認証部１１２に供給する。
【００６１】
認証部１１２は、読取部１１１が読み取った情報に基づいて、利用者の認証を行う手段である。具体的には、認証部１１２は、読取部１１１によって読み取られた情報から、セキュリティエリアへの入退室が可能な利用者（正規利用者）か否かの認証処理を行う。上記利用者の情報は、図示しない記憶装置に記憶されている。当該記憶装置は、入退場管理装置１０内に備えられるものであってもよいし、入退場管理装置１０の外部に備えられるものであってもよい。認証部１１２は、正規利用者であると認証した利用者を示す利用者情報を入退場管理部１１３に供給する。なお、上記利用者情報としては、例えば、ＲＦＩＤカードに含まれるＩＤが挙げられる。つまり、上記利用者情報は、ＲＦＩＤタグに記憶された、利用者を認証するための認証情報と同一のものであってもよい。また、上記利用者情報は、入退場管理装置１０が管理する、利用者を特定する識別子であってもよい。つまり、上記利用者情報は、利用者を特定するものであればよい。
【００６２】
入退場管理部１１３は、認証部１１２から、利用者情報を受け取る。また、入退場管理部１１３は、入場用センサ１３および退場用センサ１４から、ＲＦＩＤカードを検知したことを示す情報（検知情報）を受け取る。入退場管理部１１３は、検知情報を送信したセンサが、入場用センサ１３か退場用センサ１４かに基づいて、ＲＦＩＤカードの近接を検知したセンサが、入場用センサ１３か退場用センサ１４かを確認する。つまり、入退場管理部１１３は、入場用センサ１３から検知情報を受け取った場合、ＲＦＩＤカードが非セキュリティエリア側から近接されたと判別する。また、入退場管理部１１３は、退場用センサ１４から検知情報を受け取った場合、ＲＦＩＤカードがセキュリティエリア側から近接されたと判別する。
【００６３】
そして、入退場管理部１１３は、認証部１１２から受け取った利用者情報に紐付けて、利用者の入退場履歴（入退場記録）を入退場管理装置１０内の図示しない記憶装置に記録する。つまり、入退場管理部１１３は、ＲＦＩＤカードが非セキュリティエリア側から近接されたと判別した場合、上記認証情報に紐付けて、認証情報で示される利用者（認証した利用者）の入場履歴を記録する。また、入退場管理部１１３は、ＲＦＩＤカードがセキュリティエリア側から近接されたと判別した場合、上記認証情報に紐付けて、認証情報で示される利用者の退場履歴を記録する。
【００６４】
また、入退場管理部１１３は、開閉制御部１１４に、ドア５０の開放指示を送信する。
【００６５】
なお、入退場管理部１１３は、更に、認証部１１２が認証のために使用する利用者の情報を管理する構成であってもよい。
【００６６】
また、入退場管理部１１３は、退場履歴を記録する際に、退場する利用者の入場記録と関連付けて記録してもよい。これにより、入退場管理部１１３は、利用者の入場履歴と退場履歴との両方を関連付けて管理することができる。そして、入退場管理部１１３は、入場履歴と退場履歴とを関連付けて記録することができる利用者を退場可能な正規の利用者と判定し、当該退場可能な正規の利用者を退場させるために、ドア５０の開放指示を開閉制御部１１４に送信する構成であってもよい。
【００６７】
開閉制御部１１４は、ドア５０の開閉を制御する手段である。開閉制御部１１４は、入退場管理部１１３からドア５０の開放指示を受け取ると、ドア５０を開ける。なお、開閉制御部１１４は、認証部１１２からドア５０の開放指示を受け取る構成であってもよい。つまり、認証部１１２が、正規利用者であると認証したことをトリガに、開閉制御部１１４は、ドア５０を開ける。なお、開閉制御部１１４は、ドア５０を開けた後、所定の時間が経過した後に閉じる構成であってもよい。
【００６８】
（入退場管理システム１の処理の流れ）
次に、本実施の形態に係る入退場管理システム１の処理の流れについて説明する。図６は、本実施の形態に係る入退場管理システム１の処理の流れの一例を示す図である。ここで、入退場管理システム１は、ＲＦＩＤカードと通信が可能な状態であるとする。具体的には、アンテナ１２から電波の放射が行われている状態であるとする。
【００６９】
利用者によって、ＲＦＩＤカードが所定の位置にかざされると、制御部１１の読取部１１１が、上記ＲＦＩＤカードのＲＦＩＤタグから当該ＲＦＩＤタグに記憶された情報を読み取る（ステップＳ１）。
【００７０】
次に、認証部１１２が、読取部１１１によって読み取られた情報から、セキュリティエリアへの入退室が可能な利用者（正規利用者）か否かの認証処理を行う（ステップＳ２）。認証が成立しなかった場合（ステップＳ２にてＮＯ）、ステップＳ１の処理に戻る。
【００７１】
認証が成立した場合（ステップＳ２にてＹＥＳ）、入退場管理部１１３がＲＦＩＤカードの近接を検知したセンサが、入場用センサ１３か退場用センサ１４かを確認する（ステップＳ３）。
【００７２】
入場用センサ１３がＲＦＩＤカードの近接を検知した場合（ステップＳ３にて「入場用センサ」）、入退場管理部１１３は、認証した利用者の入場履歴を記録する（ステップＳ４）。
【００７３】
退場用センサ１４がＲＦＩＤカードの近接を検知した場合（ステップＳ３にて「退場用センサ」）、入退場管理部１１３は、認証した利用者の退場履歴を記録する（ステップＳ５）。
【００７４】
ステップＳ４またはステップＳ５終了後、開閉制御部１１４は、ドア５０を開け（ステップＳ６）、処理を終了する。なお、ステップＳ６は、ステップＳ４またはステップＳ５と同時に行われてもよいし、逆の順番で行われてもよい。
【００７５】
（効果）
本実施の形態によれば、入退場を管理する装置を、より低コストで実現することができる。なぜならば、入退場管理装置１０が、制御部１１、アンテナ１２、入場用センサ１３および退場用センサ１４を備えるからである。
【００７６】
アンテナ１２は、セキュリティエリアへの入退場が可能な利用者を示す利用者情報を含むＲＦＩＤカードから、当該利用者情報を含む信号を、セキュリティエリア側および非セキュリティエリア側の両側から受信する。また、入場用センサ１３は、アンテナ１２に対し、ＲＦＩＤカードが非セキュリティエリア側から近接したことを検知し、退場用センサ１４は、アンテナ１２に対し、ＲＦＩＤカードがセキュリティエリア側から近接したことを検知する。そして、制御部１１の認証部１１２が、アンテナ１２が受信した信号に含まれる上記利用者情報に基づいて、利用者の認証を行う。更に、制御部１１の入退場管理部１１３が、認証部１１２によって認証された利用者の上記利用者情報と、入場用センサ１３または退場用センサ１４が検知した方向とに基づいて、上記利用者に対するセキュリティエリアへの入退場を管理する。
【００７７】
このような入退場管理装置１０によれば、１つのアンテナ１２で、当該アンテナ１２の両面（両側）に近接したＲＦＩＤカードの情報を読み取ることができる。また、入場用センサ１３および退場用センサ１４がＲＦＩＤカードの近接方向を検知するため、ＲＦＩＤカードが、どちらの面に近接されたのかを判別することができる。
【００７８】
このように、近接するＲＦＩＤカードの方向を、１つの入退場管理装置１０で検出できるため、１台の入退場管理装置１０で入退場を好適に管理することができる。したがって、複数の入退場管理装置１０のようなリーダライタを設置する場合に比べ、リーダライタの台数を削減することができる。そのため、リーダライタの導入コスト削減、電力削減を実現する装置を提供することができる。
【００７９】
また、入退場管理装置１０は、入場用センサ１３と、退場用センサ１４とを備えることにより、ＲＦＩＤカードの近接を検知したセンサがどちらであるかを確認することにより、簡単にＲＦＩＤカードの近接方向を判別することができる。
【００８０】
＜第３の実施の形態＞
上述した第２の実施の形態では、ＲＦＩＤカードがどちらの方向から近接されているのかを、入場用センサ１３と退場用センサ１４とを用いて検出した。しかしながら、近接方向を判断する手段は、これに限定されるものではない。
【００８１】
近接方向を検知する手段として、例えば、カメラを採用してもよい。この場合、入退場管理装置１０は、入場用センサ１３の代わりに非セキュリティエリア側に入場側カメラを備え、退場用センサ１４の代わりに、セキュリティエリア側に退場用カメラを備える。
【００８２】
そして、入場用カメラおよび退場用カメラは、それぞれ、入退場管理装置１０の近傍（例えば、利用者がＲＦＩＤカードをかざすための所定の位置）を撮影し、制御部１１に供給する。制御部１１は、撮影した画像を用いて、画像認識を行うことにより、撮影した画像から、ＲＦＩＤカードおよび／または利用者を認識する。そして、制御部１１は、ＲＦＩＤカードおよび／または利用者が認識できた場合に、当該画像を撮影したカメラがどちらであるかを確認することにより、ＲＦＩＤカードがどちら側から近接されたのかを判定することができる。
【００８３】
このような構成であっても、入退場管理装置１０は、第２の実施の形態と同様の効果を有することができる。
【００８４】
（ハードウェア構成について）
なお、図４に示した制御部１１の各部は、図７に例示するハードウェア資源で実現してもよい。すなわち、図７に示す構成は、ＲＡＭ（Ｒａｎｄｏｍ  Ａｃｃｅｓｓ  Ｍｅｍｏｒｙ）１０１、ＲＯＭ（Ｒｅａｄ  Ｏｎｌｙ  Ｍｅｍｏｒｙ）１０２、通信インタフェース１０３、記憶媒体１０４およびＣＰＵ１０５を備える。ＣＰＵ１０５は、ＲＯＭ１０２または記憶媒体１０４に記憶された各種ソフトウェアプログラム（コンピュータプログラム）を、ＲＡＭ１０１に読み出して実行することにより、制御部１１の全体的な動作を司る。すなわち、上記各実施形態において、ＣＰＵ１０５は、ＲＯＭ１０２または記憶媒体１０４を適宜参照しながら、制御部１１が備える各機能（各部）を実行するソフトウェアプログラムを実行する。
【００８５】
また、各実施形態を例に説明した本発明は、制御部１１に対して、上記説明した機能を実現可能なコンピュータプログラムを供給した後、そのコンピュータプログラムを、ＣＰＵ１０５がＲＡＭ１０１に読み出して実行することによって達成される。
【００８６】
また、係る供給されたコンピュータプログラムは、読み書き可能なメモリ（一時記憶媒体）またはハードディスク装置等のコンピュータ読み取り可能な記憶デバイスに格納すればよい。そして、このような場合において、本発明は、係るコンピュータプログラムを表すコード或いは係るコンピュータプログラムを格納した記憶媒体によって構成されると捉えることができる。
【００８７】
上述した各実施形態では、図４に示した制御部１１における各ブロックに示す機能を、図７に示すＣＰＵ１０５が実行する一例として、ソフトウェアプログラムによって実現する場合について説明した。しかしながら、図４に示した各ブロックに示す機能は、一部または全部を、ハードウェアの回路として実現してもよい。
【００８８】
なお、上述した各実施の形態は、本発明の好適な実施の形態であり、上記各実施の形態にのみ本発明の範囲を限定するものではなく、本発明の要旨を逸脱しない範囲において当業者が上記各実施の形態の修正や代用を行い、種々の変更を施した形態を構築することが可能である。
【００８９】
上記の実施の形態の一部又は全部は、以下の付記のようにも記載されうるが、以下には限られない。
【００９０】
（付記１）特定のエリアへの入退場を、認証情報記録媒体の認証を行うことにより管理するリーダライタであって、前記認証情報記録媒体からの信号を、複数の方向から受信するアンテナと、前記アンテナに対する前記認証情報記録媒体の近接が、何れの方向からであるのかを検知する、近接方向検知部材と、を備えることを特徴とするリーダライタ。
【００９１】
（付記２）前記近接方向検知部材は、検知する方向毎に夫々設けられていることを特徴とする、付記１に記載の入退場管理装置。
【００９２】
（付記３）特定のエリアへの入退場を管理する入退場管理装置であって、前記特定のエリアへの入退場が可能な利用者を示す利用者情報を含む認証情報記録媒体から、当該利用者情報を含む信号を、特定のエリア側および前記特定のエリアとは異なる他のエリア側の両側から受信するアンテナと、前記認証情報記録媒体が、前記アンテナに対し、前記特定のエリア側または前記他のエリア側の何れの方向から近接したのかを検知する、近接方向検知部材と、前記アンテナが受信した信号に含まれる前記利用者情報に基づいて、利用者の認証を行う認証手段と、前記認証手段によって認証された利用者の前記利用者情報と、前記近接方向検知部材が検知した方向とに基づいて、前記利用者に対する前記特定のエリアへの入退場を管理する入退場管理手段と、を備えることを特徴とする入退場管理装置。
【００９３】
（付記４）前記近接方向検知部材は、前記特定のエリア側および前記他のエリア側に夫々設けられていることを特徴とする、付記３に記載の入退場管理装置。
【００９４】
（付記５）前記入退場管理手段は、前記他のエリア側に設けられた前記近接方向検知部材が、前記認証情報記録媒体を検知したとき、前記認証手段によって認証された利用者の、前記特定エリアへの入場記録を、当該利用者の利用者情報に関連付けて管理し、前記特定のエリア側に設けられた前記近接方向検知部材が、前記認証情報記録媒体を検知したとき、前記認証手段によって認証された利用者の、前記特定エリアからの退場記録を、当該利用者の利用者情報に関連付けて管理する、ことを特徴とする付記４に記載の入退場管理装置。
【００９５】
（付記６）前記近接方向検知部材は、物体の近接を検知する近接センサである、ことを特徴とする付記３から５の何れかに記載の入退場管理装置。
【００９６】
（付記７）前記近接方向検知部材は、入退場管理装置の近傍を撮影するカメラである、ことを特徴とする付記３から５の何れかに記載の入退場管理装置。
【００９７】
（付記８）前記認証手段によって認証された利用者の入退場させるために、前記特定のエリアと前記他のエリアとを仕切るためのセパレータの開閉を制御する開閉制御手段を更に備えることを特徴とする、付記３から７の何れかに記載の入退場管理装置。
【００９８】
（付記９）特定のエリアへの入退場を管理する入退場管理システムであって、前記特定のエリアへの入退場が可能な利用者を示す利用者情報を含む認証情報記録媒体から、当該利用者情報を含む信号を、特定のエリア側および前記特定のエリアとは異なる他のエリア側の両側から受信するアンテナと、前記認証情報記録媒体が、前記アンテナに対し、前記特定のエリア側または前記他のエリア側の何れの方向から近接したのかを検知する、近接方向検知部材と、前記特定のエリアと前記他のエリアとを仕切るためのセパレータと、前記アンテナが受信した信号に含まれる前記利用者情報に基づいて、利用者の認証を行う認証手段と、前記認証手段によって認証された利用者の前記利用者情報と前記近接方向検知部材が検知した方向とに基づいて、前記利用者に対する前記特定のエリアへの入退場を管理する入退場管理手段と、前記認証手段によって認証された利用者を入退場させるために、前記セパレータの開閉を制御する開閉制御手段と、を備えることを特徴とする入退場管理システム。
【００９９】
（付記１０）前記近接方向検知部材は、前記特定のエリア側および前記他のエリア側に夫々設けられていることを特徴とする、付記９に記載の入退場管理装置。
【０１００】
（付記１１）前記入退場管理手段は、前記他のエリア側に設けられた前記近接方向検知部材が、前記認証情報記録媒体を検知したとき、前記認証手段によって認証された利用者の前記特定エリアへの入場記録を、当該利用者の利用者情報に関連付けて管理し、前記特定のエリア側に設けられた前記近接方向検知部材が、前記認証情報記録媒体を検知したとき、前記認証手段によって認証された利用者の、前記特定エリアからの退場記録を、当該利用者の利用者情報に関連付けて管理する、ことを特徴とする付記１０に記載の入退場管理装置。
【０１０１】
（付記１２）アンテナと、近接方向検知部材とを備え、特定のエリアへの入退場を管理する入退場管理装置の入退場管理方法であって、前記特定のエリアへの入退場が可能な利用者を示す利用者情報を含む認証情報記録媒体から、当該利用者情報を含む信号を、特定のエリア側および前記特定のエリアとは異なる他のエリア側の両側から受信し、前記アンテナに対し、前記認証情報記録媒体が前記特定のエリア側または前記他のエリア側の何れの方向から近接したのかを検知し、前記受信した信号に含まれる前記利用者情報に基づいて、利用者の認証を行い、前記認証された利用者の前記利用者情報と、前記検知した方向とに基づいて、前記利用者に対する前記特定のエリアへの入退場を管理する、ことを特徴とする入退場管理方法。
【０１０２】
（付記１３）特定のエリアへの入退場を管理する入退場管理装置を含むコンピュータに実行させるプログラムであって、前記入退場管理装置は、前記特定のエリアへの入退場が可能な利用者を示す利用者情報を含む認証情報記録媒体から、当該利用者情報を含む信号を、特定のエリア側および他のエリア側の両側から受信するアンテナと、前記認証情報記録媒体が、前記アンテナに対し、前記特定のエリア側または前記他のエリア側の何れの方向から近接したのかを検知する、近接方向検知部材と、を備え、前記プログラムは、前記アンテナが受信した信号に含まれる前記利用者情報に基づいて、利用者の認証を行う処理と、前記認証された利用者の前記利用者情報と、前記近接方向検知部材が検知した方向とに基づいて、前記利用者に対する前記特定のエリアへの入退場を管理する処理とをコンピュータに実行させる、ことを特徴とするプログラム。
【０１０３】
（付記１４）付記１３に記載のプログラムを記憶する、ことを特徴とするコンピュータ読み取り可能な記録媒体。
【符号の説明】
【０１０４】
１    入退場管理システム
２    認証情報記録媒体
１０    入退場管理装置
１１    制御部
１１１    読取部
１１２    認証部
１１３    入退場管理部
１１４    開閉制御部
１２    アンテナ
１３    入場用センサ
１４    退場用センサ
５０    ドア
１００    リーダライタ
１２０    アンテナ
１３０    近接方向検知部材
【図１】
2015149002.tif 000003
【図２】
2015149002.tif 000004
【図３】
2015149002.tif 000005
【図４】
2015149002.tif 000006
【図５】
2015149002.tif 000007
【図６】
2015149002.tif 000008
【図７】
2015149002.tif 000009